(57)【特許請求の範囲】
【請求項１】
内側樋体と、この内側樋体の外面側を覆う別体の外側被覆体とで樋本体を構成し、この樋本体の前記内側樋体と前記外側被覆体との間にアンテナ部を設けたアンテナ付き樋であって、前記内側樋体を筒状をした内筒体で構成すると共に、前記外側被覆体を筒状をした外筒体で構成し、前記内筒体を前記外筒体に嵌め込んで筒状の前記樋本体を形成し、この樋本体の前記内筒体と前記外筒体との間にアンテナ部を設け、前記樋本体が、その上端部を他の竪樋又はエルボに対しその中心軸を中心に回して接続することでアンテナ部の向きを調整可能な竪樋本体であることを特徴とするアンテナ付き樋。
【請求項２】
前記内側樋体の外面に前記アンテナ部を形成して成ることを特徴とする請求項１に記載のアンテナ付き樋。
【請求項３】
前記外側被覆体の内面に前記アンテナ部を形成して成ることを特徴とする請求項１に記載のアンテナ付き樋。
【発明の詳細な説明】
【技術分野】
【０００１】
本発明は、アンテナ付き樋に関するものである。
【背景技術】
【０００２】
特許文献１は、軒樋の外面に、アンテナ部を貼り付けたアンテナ付き軒樋を開示している。
【０００３】
また、特許文献２は、竪樋の外面の長手方向の一部に、竪樋とは別体のアンテナ部、伝送線路トラップ部、絶縁体筒を挟んだ給電部を外に膨出するようにねじを用いて取付けたものを開示している。
【先行技術文献】
【特許文献】
【０００４】
【特許文献１】特開平３−８４１５６号公報
【特許文献２】特開平１−１６８１０１号公報
【発明の概要】
【発明が解決しようとする課題】
【０００５】
前記特許文献１のアンテナ付き軒樋は、軒樋の外面に、アンテナ部を貼り付けているので、アンテナ部が外面側に露出し、樋としての外観を損ねるという問題がある。
【０００６】
また、アンテナ部が外面側に露出するため、アンテナ部が雨水、太陽光、外気に晒され、劣化し易いという問題がある。
【０００７】
特許文献２の従来例は、竪樋の長手方向の一部の外面から外部に竪樋とは異なる別体のアンテナ部、伝送線路トラップ部、絶縁体筒を挟んだ給電部が膨出する。このため、竪樋の外面から異物が突出した外観となり、違和感があり、外周形状が長手方向の全長で同じ形状をしているという竪樋としての外観が損なわれる。また、ねじにより取付けるので、ねじが外部に露出していっそう外観が損なわれ、更に、ねじによる取付け作業が必要である。
【０００８】
また、竪樋の外面の一部から別体のアンテナ部、伝送線路トラップ部、絶縁体筒を挟んだ給電部が膨出するので、膨出部分に人や物が引っ掛かり、損傷しやすい。
【０００９】
本発明は、上記の従来例の問題点に鑑みて発明したもので、簡単な構成で竪樋本体の厚み方向の中間部分にアンテナ部を設けることができるアンテナ付き樋を提供することにある。
【課題を解決するための手段】
【００１０】
本発明のアンテナ付き樋は、内側樋体と、この内側樋体の外面側を覆う別体の外側被覆体とで樋本体を構成し、この樋本体の前記内側樋体と前記外側被覆体との間にアンテナ部を設けたアンテナ付き樋であって、前記内側樋体を筒状をした内筒体で構成すると共に、前記外側被覆体を筒状をした外筒体で構成し、前記内筒体を前記外筒体に嵌め込んで筒状の前記樋本体を形成し、この樋本体の前記内筒体と前記外筒体との間にアンテナ部を設け、前記樋本体が、その上端部を他の竪樋又はエルボに対しその中心軸を中心に回して接続することでアンテナ部の向きを調整可能な竪樋本体であることを特徴とする。
【００１２】
また、前記内側樋体の外面に前記アンテナ部を形成することが好ましい。
【００１３】
また、前記外側被覆体の内面に前記アンテナ部を形成することが好ましい。
【発明の効果】
【００１４】
本発明は、簡単な構成で竪樋本体の厚み方向の中間部分にアンテナ部を設けることができ、アンテナ部が内外面に露出せず、アンテナ部を保護できる。
【図面の簡単な説明】
【００１５】
【図１】本発明のアンテナ付き樋の一実施形態の概略斜視図である。
【図２】同上のアンテナ付き樋の他の実施形態の概略斜視図である。
【図３】同上のアンテナ付き樋の更に他の実施形態の概略斜視図である。
【図４】図１に示すアンテナ付き樋の施工状態を示す概略側面図である。
【図５】図２に示すアンテナ付き樋の施工状態を示す概略側面図である。
【図６】図３に示すアンテナ付き樋の施工状態を示す概略側面図である。
【図７】アンテナ付き樋の一例を示す横断面図である。
【図８】アンテナ付き樋の他例を示す横断面図である。
【発明を実施するための形態】
【００１６】
以下、本発明を添付図面に示す実施形態に基づいて説明する。
【００１７】
アンテナ付き樋５０は、内側樋体２０と、この内側樋体２０の外面側を覆う別体の外側被覆体３０とで樋本体４０を構成し、この樋本体４０の内側樋体２０と外側被覆体３０との間に放送電波を受信するためのアンテナ部２を設けて構成している。
【００１８】
添付図面にはアンテナ付き樋５０としてアンテナ付き竪樋３の例を示している。
【００１９】
本実施形態では、内側樋体２０を筒状の内筒体５で構成し、外側被覆体３０を筒状の外筒体６で構成し、内筒体５を外筒体６に嵌め込んで樋本体４０を構成する竪樋本体１を形成している。つまり、本実施形態では竪樋本体１は二重筒構造をしている。
【００２０】
また、放送電波を受信するためのアンテナ部２は、竪樋本体１の内筒体５と外筒体６との間に設けている。
【００２１】
外筒体６は、アンテナ付き竪樋３の外面部を構成するもので、この外筒体６の外周形状が長手方向の全長又は略全長にわたって同一となっていて竪樋としての外観形状を確保している。
【００２２】
また、内筒体５は、アンテナ付き竪樋３の内面部を構成するもので、外筒体６と同じ又は略同じ長さをしており、この内筒体５の内周形状が長手方向の全長又は略全長にわたって同一となった筒状をしていて竪樋としての排水機能を確保している。
【００２３】
図１には長尺の竪樋本体１の長手方向の全長又は略全長にアンテナ部２を設けてアンテナ付き竪樋３を構成した例を示している。
【００２４】
また、図２には長尺の竪樋本体１の長手方向の一部にアンテナ部２を設けてアンテナ付き竪樋３を構成した例を示している。
【００２５】
また、図３には短尺の竪樋本体１にアンテナ部２を設けてアンテナ付き竪樋３を構成した例を示している。
【００２６】
ここで、前記図１、図２に示す長尺のアンテナ付き竪樋３は、一般的な竪樋と同じ長さとなっている。
【００２７】
一般的な竪樋は、建物の一階の軒先付近から地面近くまでの長さとなった長尺のものであり、一般に、建物の一階の壁に沿ってこの１本の長尺の竪樋を縦に配置するようになっている。
【００２８】
したがって、前記図１、図２に示す長尺のアンテナ付き竪樋３は、この一般の竪樋と同じ長さ、例えば、２７００ｍｍ程度の長さであり、従来と同様に１本の長尺のアンテナ付き竪樋３が図４、図５に示すように、建物の外壁１５に沿って縦に配置するように施工される。
【００２９】
図３に示す短尺のアンテナ付き竪樋３は、図６に示すように、建物の外壁１５に沿って、他の短尺の通常の竪樋１４と接続して縦に配置される。
【００３０】
上記のような構成のアンテナ付き竪樋において、アンテナ部２を竪樋本体１の内筒体５と外筒体６との間に設けるに当たっては、図７のように内筒体５の外面にアンテナ部２を設けるか、又は、図８のように外筒体６の内面にアンテナ部２を設ける。
【００３１】
このように内筒体５の外面又は外筒体６の内面にアンテナ部２を設けてアンテナ付き竪樋３を形成するには以下のようにして形成する。
【００３２】
例えば、合成樹脂により形成した内筒体５外面又は外筒体６の内面にアンテナ部２を接着し、内筒体５を外筒体６に嵌め込むことで二重筒構造の竪樋本体１を構成すると共に、内筒体５と外筒体６の間にアンテナ部２を設けた筒状のアンテナ付き竪樋３を形成する。
【００３３】
また、合成樹脂により形成した内筒体５外面又は外筒体６の内面にアンテナパターンフィルムを貼付け、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００３４】
また、合成樹脂により形成した内筒体５外面又は外筒体６の内面にアンテナパターンを塗装することでアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００３５】
また、合成樹脂により形成した内筒体５外面又は外筒体６の内面にアンテナパターンを印刷することでアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００３６】
また、合成樹脂の筒状体の外面に金属薄板をインサートしてアンテナ付き内筒体５を形成するか、又は合成樹脂の筒状体の内面に金属薄板をインサートしてアンテナ付き外筒体６を形成し、更に金属薄板をエッチング加工してアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００３７】
上記のような各方法で形成するアンテナ付き竪樋３は、内筒体５を外筒体６に嵌め込んだ二重筒構造の竪樋本体１の内筒体５と外筒体６との間に図７、図８のようにアンテナ部２を設けているので、竪樋本体１の外面及び内面にアンテナ部２が露出しない。
【００３８】
したがって、アンテナ付き竪樋３の外観が一般の竪樋と同じ外観となると共に、アンテナ部２が内筒体５と外筒体６とで保護されて雨水、太陽光、外気に晒されることがなく、アンテナ部２の劣化を防止できる。更に、アンテナ部２が外筒体６で覆われるので、アンテナ付き竪樋３に外部から物が当たったり引っ掛かったりしても、アンテナ部２が損傷するというようなことがない。
【００３９】
また、内筒体５の外面又は外筒体６内面にアンテナ部２を設けて、内筒体５を外筒体６に嵌め込むので、インサート成形によることなく、アンテナ部２を筒状の竪樋本体１の厚み方向の中間部分に簡単に形成できる。
【００４０】
また、二重筒構造とすることで、外筒体６のみ耐候性に優れた材料で形成することが可能で、竪樋本体１全体を耐候性に優れた材料で形成する場合に比べ、耐候性に優れた竪樋本体１を安価に形成できる。
【００４１】
なお、図示を省略しているが、前記各アンテナ付き竪樋３は、アンテナ部２に給電部が設けられる。この給電部にはテレビに接続するための同軸ケーブルが接続され、アンテナ付き竪樋３外に導出される。
【００４２】
前記の各アンテナ付き竪樋３は、現場で、図４、図５、図６のように施工される。
【００４３】
図４、図５においては、軒樋８の集水器９にエルボ１０を介して呼び樋１１を接続し、呼び樋１１にエルボ１２を介して図１又は図２に示す長尺のアンテナ付き竪樋３の上端部を接続している。アンテナ付き竪樋３の下端部は必要に応じて地表部分に形成する排水筒１３に接続しても良い。
【００４４】
また、図６においては、呼び樋１１にエルボ１２を介して、又は、エルボ１２、短尺の一般の竪樋１４を介して、図３に示す短尺のアンテナ付き竪樋３を接続し、更に、短尺のアンテナ付き竪樋３の下端に別の短尺の一般の竪樋１４を接続している。この実施形態においても、下の短尺の一般の竪樋１４の下端部は必要に応じて地表部分に形成する排水筒１３に接続しても良い。
【００４５】
ここで、いずれの実施形態においても、アンテナ付き竪樋３を現場施工する際、現場の状況に対応して筒状のアンテナ付き竪樋３の中心軸を中心にしてアンテナ付き竪樋３を回すことで、アンテナ部２の向きを調整して放送電波の受信方向を調整できる。そして、受信方向を調整した状態で接着剤等により固定する。
【００４６】
上記各例は、竪樋本体１が円筒状をしている例を示しているが、竪樋本体１が角筒状をしていてもよい。角筒状の場合も、接続の際に角筒状のアンテナ付き竪樋３の向きを所定角度（四角筒状の場合は９０°）ずつ回して嵌め込み接続することで、アンテナ部２の向きを調整して放送電波の受信方向を調整できる。
【００４７】
なお、前述の実施形態ではアンテナ付き樋５０としてアンテナ付き竪樋３の例を示したが、アンテナ付き軒樋、あるいは、アンテナ付き呼び樋、アンテナ付き這樋等であってもよい。
【００４８】
要は、アンテナ付き樋５０の主体を構成する樋本体４０が、内側樋体２０と外側被覆体３０との二重構造で、この二重構造となった樋本体４０の内側樋体２０と外側被覆体３０との間にアンテナ部２を設けたものであればよい。
【符号の説明】
【００４９】
１  竪樋本体
２  アンテナ部
３  アンテナ付き竪樋
２０  内側樋体
３０  外側被覆体
４０  樋本体
【図１】
0005654839.tif 000002
【図２】
0005654839.tif 000003
【図３】
0005654839.tif 000004
【図４】
0005654839.tif 000005
【図５】
0005654839.tif 000006
【図６】
0005654839.tif 000007
【図７】
0005654839.tif 000008
【図８】
0005654839.tif 000009